(57)【要約】      （修正有）【課題】車体カバーを植付け条数の異なる機体に共用して製造コストを低減できるようにする。【解決手段】  走行車の後側に多条植え用植付部を配置し、前記走行車の後部に多条施肥用施肥機を搭載し、作業者が搭乗するための車体カバーを前記走行車に設置し、前記車体カバー12の上部に運転席を取付け、前記運転席の前方に操向ハンドルを設けてなる田植機において、前記運転席の両側の前記車体カバー12側部に左右デッキ37を配置し、前記左右デッキ37に左右サイドデッキ41を連結したことを特徴とする。【選択図】 図３
2005118043.tif 000002
【特許請求の範囲】
【請求項１】
走行車の後側に多条植え用植付部を配置し、前記走行車の後部に多条施肥用施肥機を搭載し、作業者が搭乗するための車体カバーを前記走行車に設置し、前記車体カバーの上部に運転席を取付け、前記運転席の前方に操向ハンドルを設けてなる田植機において、前記運転席の両側の前記車体カバー側部に左右デッキを配置し、前記左右デッキに左右サイドデッキを連結したことを特徴とする田植機。
【請求項２】
前記左右デッキに左右サイドデッキを着脱自在に連結したことを特徴とする請求項１に記載の田植機。
【請求項３】
前記左右サイドデッキを略垂直に起立させて上方に折畳み可能に、前記左右デッキに左右サイドデッキを連結したことを特徴とする請求項１または２に記載の田植機。
【発明の詳細な説明】
【技術分野】
【０００１】
本発明は、本発明は例えば苗載台及び植付爪を備えて連続的に苗植作業及び側条施肥作業を行う田植機に関するものである。
【背景技術】
【０００２】
従来、走行車の後側に多条植え用植付部を配置し、前記走行車の後部に多条施肥用施肥機を搭載し、作業者が搭乗するための車体カバーを前記走行車に設置し、前記車体カバーの上部に運転席を取付け、前記運転席の前方に操向ハンドルを設けた技術がある (例えば、特許文献１) 。
【特許文献１】特開平５−２７６８１８号公報
【発明の開示】
【発明が解決しようとする課題】
【０００３】
前記従来技術は、前記施肥機を構成するエアーチャンバーにサイドステップを取付けていたから、作業者の足を載せたときのサイドステップ荷重が支持できるようにエアーチャンバーを高剛性に構成する必要がある。前記エアーチャンバーを高剛性に構成した場合、前記施肥機の重量及び製造コストが上がり、サイドステップを容易に大型化できない。例えば、６条用機体を構成する前記車体カバーを兼用して、サイドステップだけを大きくして、８条用または１０条用機体を構成するのが難しいから、８条用または１０条用機体を構成する前記車体カバーをそれぞれ各別に製造する必要がある。前記車体カバーの共用による製造コストの低減ができない。また、サイドステップを下方に折り畳むように構成していたから、例えば、田植機をトラックの荷台に載せて圃場または格納ガレージに運搬するとき、トラックの荷台側部のあおり等に、下方に折り畳んだサイドステップが衝突し易い等の問題がある。
【課題を解決するための手段】
【０００４】
請求項１に係る発明は、走行車の後側に多条植え用植付部を配置し、前記走行車の後部に多条施肥用施肥機を搭載し、作業者が搭乗するための車体カバーを前記走行車に設置し、前記車体カバーの上部に運転席を取付け、前記運転席の前方に操向ハンドルを設けてなる田植機において、前記運転席の両側の前記車体カバー側部に左右デッキを配置し、前記左右デッキに左右サイドデッキを連結したことを特徴とする。
【０００５】
請求項２に係る発明は、前記左右デッキに左右サイドデッキを着脱自在に連結したことを特徴とする。
【０００６】
請求項３に係る発明は、前記左右サイドデッキを略垂直に起立させて上方に折畳み可能に、前記左右デッキに左右サイドデッキを連結したことを特徴とする。
【発明の効果】
【０００７】
請求項１に係る発明は、走行車の後側に多条植え用植付部を配置し、前記走行車の後部に多条施肥用施肥機を搭載し、作業者が搭乗するための車体カバーを前記走行車に設置し、前記車体カバーの上部に運転席を取付け、前記運転席の前方に操向ハンドルを設けてなる田植機において、前記運転席の両側の前記車体カバー側部に左右デッキを配置し、前記左右デッキに左右サイドデッキを連結した。そのため、例えば、６条用の前記車体カバーに前記左右デッキを配置して８条の機体を構成できる。または、６条用の前記車体カバーに前記左右デッキと左右サイドデッキとを配置して１０条用の機体を構成できる。前記車体カバーを植付け条数の異なる機体に共用して製造コストを低減できる。
【０００８】
請求項２に係る発明は、前記左右デッキに左右サイドデッキを着脱自在に連結したものであるから、田植機体をトラックにて運搬するとき、またはガレージなどに格納するとき、左右サイドデッキを取外して機体の左右幅をコンパクトにできる。
【０００９】
請求項３に係る発明は、前記左右サイドデッキを略垂直に起立させて上方に折畳み可能に、前記左右デッキに左右サイドデッキを連結したものであるから、略垂直に起立させた前記左右サイドデッキにて前記左右デッキ上面の機外側を閉塞でき、例えば前記左右デッキ上面に肥料袋または作業用具を載せて圃場間などを移動しても、肥料袋または作業用具などが落下するのを前記左右サイドデッキにて防止できる。
【発明を実施するための最良の形態】
【００１０】
以下、本発明の実施例を図面に基づいて詳述する。図１は乗用田植機の側面図、図２は同平面図を示し、図中１は作業者が搭乗する走行車であり、エンジン２を車体フレーム３前部上方に搭載させ、ミッションケース４前方にフロントアクスルケース５を介して水田走行用前輪６を支持させると共に、前記ギヤ変速ケース４の後部にリヤアクスルケース７を連設し、前記リヤアクスルケース７に水田走行用後輪８を支持させる。そして前記エンジン２等を覆うボンネット９両側に予備苗載台１０を取付けると共に、乗降ステップ１１を介して作業者が搭乗する車体カバー１２によって前記ミッションケース４等を覆い、前記車体カバー１２上部に運転席１３を取付け、その運転席１３の前方で前記ボンネット後部に操向ハンドル１４を設ける。
【００１１】
また、図中１５は１０条植え用の苗載台１６並びに１０条分の植付爪１７などを具備する植付部であり、前高後低の合成樹脂製の前傾式苗載台１６を下部レール１８及びガイドレール１９を介して植付ケース２０に左右往復摺動自在に支持させると共に、一方向に等速回転させるロータリケース２１を前記植付ケース２０に支持させ、該ケース２１の回転軸芯を中心に対称位置に一対の爪ケース２２を配設し、その爪ケース２２先端に植付爪（１７）を取付ける。また前記植付ケース２０の前側に支持フレーム２３を設け、該フレーム２３をヒッチフレーム２４に連結させ、トップリンク２５及びロワーリンク２６を含むリンク機構２７後部にヒッチフレーム２４を取付け、走行車１後側にリンク機構２７を介して植付部１５を連結させ、前記リンク機構２７を介して植付部１５を昇降させる昇降シリンダ２８をロワーリンク２６に連結させ、前記前後輪６，８を走行駆動して移動すると同時に、左右に往復摺動させる苗載台１６から一株分の苗を植付爪１７によって取出し、連続的に苗植え作業を行うように構成する。
【００１２】
また、図中２９は走行変速レバー、３０は植付昇降兼作業走行変速用副変速レバー、３１は植付け感度調節レバー、３２は主クラッチペダル、３３は左右ブレーキペダル、３４は２条分均平用センターフロート、３５は２条分均平用サイドフロート、３６は１０条用の側条施肥機である。
【００１３】
さらに、図２、図３、図４に示す如く、前記運転席１３両側の車体カバー１２両側に左右補助デッキ３７を固定させ、該デッキ３７前部に前記乗降ステップ１１を固定させると共に、前記補助デッキ３７後部の機外側に前後ブラケット３８及び位置決めバネ３９及び脚フレーム４０を介して左右サイドデッキ４１を起伏自在かつ脱着自在に連結させ、サイドデッキ４１を略水平に倒伏させたとき、脚フレーム４０を補助デッキ３７のパイプフレームに当接させて作業者の体重を支える一方、サイドデッキ４１を略垂直に起立させて上方に折畳み収納させるもので、前記バネ３９が補助デッキ３７に弾圧してサイドデッキ４１を起伏位置または起立位置に起伏自在に固定させると共に、前記ブラケット３８を脱着してサイドデッキ４１を脱着させるように構成している。
【００１４】
さらに、図２、図５乃至図１０に示す如く、６条用の中央施肥部４２と、各２条用の左右施肥部４３とに、前記施肥機３６を分割して構成すると共に、右施肥部４３機外側に送肥ブロワ４４を配設させる。また、６条分の施肥ホッパ４５と肥料繰出ケース４６と施肥ホース４７と合成樹脂パイプ製エアタンク４８を中央施肥部４２の中央施肥フレーム４９に配設させると共に、２条分の施肥ホッパ４５と肥料繰出ケース４６と施肥ホース４７と合成樹脂パイプ製エアタンク４８を左右施肥部４３の左右施肥フレーム５０に配設させる。
【００１５】
そして、前記中央施肥フレーム４９両端部の側板５１に支点アーム５２を一体固定させ、支点アーム５２に回動支点軸５３を介して回動アーム５４を水平方向に回転自在に連結させ、左右施肥フレーム５０の側板５５に回動アーム５４を一体固定させると共に、前記各側板５１，５５をピン５６によって位置決め当接させてパッチン錠５７により接離自在に固定させ、中央施肥フレーム４９両側に左右施肥フレーム５０を一体固定させ、中央施肥部４２両側に左右施肥部４３を連設させて１０条施肥機３６を作業状態に組立てる一方、パッチン錠（５７を外し、繰出ケース４６の動力を入切する条止めワイヤ５８を連結させた状態の左右施肥フレーム５０を回動支点軸５３回りに前方側に約１８０度回転させ、左右施肥フレーム５０の外側板５９部に固定させたサイドアーム６０を中央施肥フレーム４９の受アーム６１にノブボルト６２により着脱自在に固定させ、中央施肥フレーム４９前側に左右施肥フレーム５０を折畳み収納し、運転席１３両側にレバー２９，３０，３１取付け位置を隔てて左右施肥部４３を収納し、左右補助デッキ３７幅内に施肥機３６を支持させるように構成している。
【００１６】
また、右施肥フレーム５０の外側板５９に縦アーム６３下端部を固定させ、縦アーム６３上端部に昇降支点軸６４を介して昇降アーム６５を上下方向に回転自在に連結させ、前記送肥ブロワ４４を昇降アーム６５に取付けるもので、送肥ブロワ４４の側板６６を外側板５９に当接させてパッチン錠により着脱自在に固定させ、右施肥部４３機外側に送肥ブロワ４４を連設させ、送肥ブロワ４４の送風口６７をエアタンク４８に連通接続させ、ブロワ４４からエアタンク４８に肥料搬送風を供給させると共に、昇降支点軸６４回りに昇降アーム６５を約１８０度上昇回転させて折畳み収納し、右施肥部４３のホッパ４５上面に送肥ブロワ４４を載せ、前記各アーム６３，６５をノブボルト６８によって着脱自在に固定させ、右施肥部４３上側に送肥ブロワ４４を収納するように構成している。
【００１７】
さらに、図１０に示す如く、前記車体フレーム３後端部上側に取付ける台フレーム６９に中央施肥フレーム４９を固定させると共に、補助デッキ３７のデッキフレーム７０に中央施肥フレーム４９を補強フレーム７１により連結させ、補助デッキ３７と中央施肥フレーム４９を相互に補強している。
【００１８】
さらに、図１、図２、図１１に示す如く、６条分の中央苗台７２と各２条分の左右苗台７３とに苗載台１６を分割して形成し、苗台支点軸７４回りに左右苗台７３を上昇させて中央苗台７２上側に折畳み収納させると共に、２条分の植付爪１７及びフロート３５を備える左右植付ケース２０とこれを支える左右アーム７５ａを中央苗台７２後側の基アーム７５ｂ方向にケース支点軸７５回りに回動させて折畳み収納させ、また左右２条分の下部レール１８を左右植付ケース２０とともに折畳み収納させるもので、６条中央苗台７２左右幅Ａよりも６条中央施肥部４２左右幅Ｂを小さく形成し、各苗台７２，７３左右幅Ｃよりも各施肥部４２，４３，４３左右幅Ｄを小さく形成し、植付部１５左右幅内前方に送肥ブロワ４４を設置させると共に、左右施肥部４３収納幅Ｅを左右補助デッキ３７左右幅Ｆと略等しく形成し、中央施肥部４２左右幅Ｂよりも左右施肥部４３収納幅Ｅを大きく形成し、左右補助デッキ３７左右幅Ｆ内に植付部１５両側２条分及び施肥機３６両側２条分と送肥ブロワ４４が折畳み収納される一方、収納位置の左右施肥部４３間と中央施肥部４２前側とで形成する平面視凹部７６に運転席１３及び各レバー２９，３０，３１を配設させ、かつ収納位置の左右施肥部４３前側と前方の呼び苗載台１０後側の間に作業者乗降スペースＧを形成し、左右施肥部４３収納状態下で前記スペースＧを利用して作業者が運転席１３に乗降し、運転席１３に作業者が座乗して各レバー２９，３０，３１操作を行えるように構成している。
【００１９】
さらに、図１２に示す如く、２条分の２本の施肥ホース４７を接続させる２個のホースジョイント７７を単一の取付板７８に固定させ、左右施肥フレーム５０のフック７９にパッチン錠８０を係止させ、前記施肥フレーム５０に取付板７８を着脱自在に固定させ、施肥ホース４７を一端部に連結させたホースジョイント７７他端側の送風入口８１をエアタンク４８に着脱自在に嵌合連結させ、ホースジョイント７７の中間上面の肥料入口８２を前記肥料繰出ケース４６下面の肥料落下口に着脱自在に嵌合連結させ、前記ケース４６から落下する肥料をエアタンク４８からの送風によって施肥ホース４７に搬出させ、側条施肥作業を行うと共に、左右施肥フレーム５０を折畳み収納時、施肥フレーム５０から取付板７８を離脱させ、前記左右苗台７２を支える植付部１５のサイドフレーム８３のフック８４に取付板７８中間を係脱自在に係止させ、２本のホース４７及びホースジョイント７７を左右施肥部４３から取外してサイドフレーム８３に支持させるように構成している。
【００２０】
上記から明らかなように、多条植え用苗載台１６を有する植付部１５と、多条施肥用ホッパ４５を有する施肥機３６を走行車１に装設させると共に、走行車１の運転席１３後側に固定させる中央施肥部４２と、中央施肥部４２両側に折畳み自在に連結させる左右施肥部４３と、左右いずれか一側に配設させる送肥ブロワ４４を、前記施肥機３６に備える田植機において、前記の左右施肥部４３を機体前方に約１８０度折畳んで運転席１３の側方で固定させるもので、左右施肥部４３を走行車１機内側に折畳んで左右幅を縮少し、左右施肥部４３を取外すことなくトラックを用いて走行車１を運搬させると共に、左右施肥部４３を施肥作業位置または折畳み収納位置に容易に移行させ、また運転席１３側方に左右施肥部４３を固定させて収納させ、左右施肥部４３を走行車１内方に格納させた状態で運転席１３に作業者が乗降するスペースを走行車１側部に確保するように構成している。
【００２１】
また、左右施肥部４３の一方の上側に送肥ブロワ４４を折畳み収納させ、施肥機３６一側最機外側に配設させる送肥ブロワ４４をコンパクトに機内側に収納させ、また、走行車１両側の左右補助デッキ３７左右幅内に左右施肥部４３を折畳み収納させ、左右施肥部４３を折畳んだ状態の施肥機３６左右幅と走行車１左右幅を略一致させ、木枠による出荷梱包またはトラックでの運搬などの作業性を向上させると共に、中央施肥部４２の左右幅よりも折畳み位置の左右施肥部４３の左右幅を大きく形成し、走行車１上面の運転席１３または操作レバー２９，３０，３１などの取付け位置を回避して左右施肥部４３をコンパクトに機内側に収納させるように構成している。
【００２２】
さらに、多条植え用苗載台１６を有する植付部１５と、多条施肥用ホッパ４５を有する施肥機３６を走行車１に装設させると共に、走行車１の運転席１３後側に固定させる中央施肥部４２と、中央施肥部４２両側に折畳み自在に連結させる左右施肥部４３と、左右いずれか一側に配設させる送肥ブロワ４４を、前記施肥機３６に備える田植機において、前記の左右施肥部４３を機体前方に約１８０度折畳んで中央施肥部４２前側に平面視凹形空間７６を形成し、運転席１３または操作レバー２９，３０，３１を前記凹形空間７６内に設置するもので、左右施肥部４３を走行車１機内側に折畳んで左右幅を縮少し、左右施肥部４３を取外すことなくトラックを用いて走行車１を運搬させると共に、左右施肥部４３を施肥作業位置または折畳み収納位置に容易に移行させ、また左右施肥部４３を収納する中央施肥部４２前側に凹部空間７６を形成して運転席１３及び操作レバー２９，３０，３１を配置させ、左右施肥部４３を折畳んだ状態で運転席１３に作業者が座乗して走行移動させると共に、左右施肥部４３によって運転席１３の作業者が両側から保護されて路上走行を行えるように構成している。
【００２３】
また、走行車１前部の予備苗台１０と凹形空７６）の間に作業者乗降スペースＧを形成し、左右施肥部４３を折畳み収納した状態で作業者が走行車１に乗降できると共に、中央施肥部４２の施肥フレーム４９に左右施肥部４３の回動支点軸５３を取付け、肥料を送出する送風用エアタンク４８を利用して回動支点軸５３を設ける必要がなく、前記エアタンク４８を合成樹脂パイプなどによって形成して軽量化などを容易に行え、また、走行車１側方の補助デッキ３７を中央施肥部４２の施肥フレーム４９に連結させ、肥料を送出する送風用エアタンク４８を利用して補助デッキ３７を設ける必要がなく、前記エアタンク４８を合成樹脂パイプなどによって形成して軽量化などを容易に行え、しかも左右施肥部４３の複数条の施肥ホース４７を一体的に脱着自在に取付け、前記施肥ホース４７の脱着操作などを容易に行えて左右施肥部４３の折畳みまたは展開作業性の向上などを容易に図れるように構成している。
【００２４】
さらに、多条植え用苗載台１６を有する植付部１５と、多条施肥用ホッパ４５を有する施肥機３６を走行車１に装設させると共に、走行車１の運転席１３後側に固定させる中央施肥部４２と、中央施肥部４２両側に折畳み自在に連結させる左右施肥部４３と、左右いずれか一側に配設させる送肥ブロワ４４を、前記施肥機３６に備える田植機において、前記の左右施肥部４３を機体前方に約１８０度折畳んで運転席１３の側方で固定させる回動支点軸５３を中央施肥部４２よりも機外側に配設させ、左右施肥部４３を走行車１機内側に折畳んで左右幅を縮少し、左右施肥部４３を取外すことなくトラックを用いて走行車１を運搬させると共に、左右施肥部４３を施肥作業位置または折畳み収納位置に容易に移行させ、また中央施肥部４２外側に回動支点軸５３を設けることによって収納位置の左右施肥部４３と走行車１中央部の運転席１３との間の空間を容易に確保し、左右施肥部４３折畳み収納時の運転席１３の作業者居住性向上などを容易に行えるように構成している。
【００２５】
また、走行車１に脱着自在に設けるステップである車体カバー１２よりも機外側に左右施肥部４３の回動支点軸５３を配設させ、回動支点軸５３に妨げられることなく前記ステップ車体カバー１２の脱着を行え、走行車１の保守または修理などの作業性向上を容易に図れると共に、回動支点軸５３連結部から離れた左右施肥部４３位置を固定して収納させるもので、収納時の左右施肥部４３の支持強度を容易に確保し、輸送時などにおける左右施肥部４３のたわみ及び振動を低減させると共に、左右施肥部４３の支持構造の簡略化及び小型化を容易に行え、また図１０に示す如く、左右施肥部４３を回動支点軸５３に所定高さＨだけ上昇自在に取付け、作業位置の左右施肥部４３を上方に持上げ乍ら収納位置に回動させることにより、下方の本機側部材に対して左右施肥部４３を上方に回避させて干渉を防止し、脱着部材または折畳み部材を少なくして左右施肥部４３の収納作業性向上などを容易に行え、しかも図９の如く、左右施肥部４３が折畳み収納可能な長さに条止めワイヤ５８を形成し、左右施肥部４３に連結させる条止めワイヤ５８を取外すことなく左右施肥部４３を折畳み収納させるように構成している。
【００２６】
さらに、図１０に示す如く、ホッパ４５の残留肥料の排出などを行う掃除ホース８３を送肥ブロワ４４に着脱自在に連結させ、送肥ブロワ４４の送風力を利用して残留肥料及び肥料粉末などを飛散させて除去し、肥料またはこの粉末が吸湿固化して固着する不具合を容易になくすもので、施肥機３６全域に届く長さに前記ホース８３を形成すると共に、前記ホッパ４５前側空間にホルダにより収納保管するように構成している。
【００２７】
さらに、図１３に示す如く、送肥ブロワ４４の吸込口８４にアダプタ８５を介して掃除ホース８３の一端部を着脱自在に連結させると共に、正転スイッチ８６及び逆転スイッチ８７を送肥ブロワ４４のファンモータ８８に取付けるもので、正転スイッチ８６オン操作により、吸込口８４から送風口６７を介してエアタンク４８に空気を圧送させる方向にファンモータ８８を回転させ、ブロワ４４の送風によって肥料を搬出させると共に、逆転スイッチ８７オン操作によってファンモータ８８を逆転させ、エアタンク４８側から吸込んだ空気を吸込口８４から掃除ホース８３に圧送させ、該ホース８３からの送風によって残留肥料及びこの粉末をホッパ４５内部などから飛散させて除去させるように構成することも行える。
【００２８】
上記から明らかなように、多条植え用苗載台１６を有する植付部１５と、多条施肥用ホッパ４５を有する施肥機１６を走行車１に装設させると共に、走行車１の運転席１３後側に固定させる中央施肥部４２と、中央施肥部４２両側に折畳み自在に連結させる左右施肥部４３と、左右いずれか一側に配設させる送肥ブロワ４４を、前記施肥機３６に備える田植機において、前記の左右施肥部４３を機体前方に約１８０度折畳んで中央施肥部４２前側に平面視凹形空間７６を形成し、運転席１３または操作レバー２９，３０，３１を前記凹形空間７６内に設置するように構成したもので、左右施肥部４３を走行車１機内側に折畳んで左右幅を縮少でき、左右施肥部４３を取外すことなくトラックを用いて走行車１を運搬できると共に、左右施肥部４３を施肥作業位置または折畳み収納位置に容易に移行させることができ、また左右施肥部４３を収納する中央施肥部４２前側に凹部空間７６を形成して運転席１３及び操作レバー２９，３０，３１を配置させるから、左右施肥部４３を折畳んだ状態で運転席１３に作業者が座乗して走行移動できると共に、左右施肥部４３によって運転席１３の作業者が両側から保護されて路上走行を行うことができるものである。
【００２９】
また、走行車１前部の予備苗台１０と凹形空間７６の間に作業者乗降スペースＧを形成したもので、左右施肥部４３を折畳み収納した状態で作業者が走行車１に容易に乗降できるものである。
【００３０】
また、中央施肥部４２の施肥フレーム４９に左右施肥部４３の回動支点軸５３を取付けたもので、肥料を送出する送風用エアタンク４８を利用して回動支点軸５３を設ける必要がなく、前記エアタンク４８を合成樹脂パイプなどによって形成して軽量化などを容易に行うことができるものである。
【００３１】
また、走行車１側方の補助デッキ３７を中央施肥部４２の施肥フレーム４９に連結させたもので、肥料を送出する送風用エアタンク４８を利用して補助デッキ３７を設ける必要がなく、前記エアタンク４８を合成樹脂パイプなどによって形成して軽量化などを容易に行うことができるものである。
【００３２】
また、左右施肥部４３の複数条の施肥ホース４７を一体的に脱着自在に取付けたもので、前記施肥ホース４７の脱着操作などを容易に行えて左右施肥部４３の折畳みまたは展開作業性の向上などを容易に図ることができるものである。
【図面の簡単な説明】
【００３３】
【図１】田植機の全体の側面図である。
【図２】同平面図である。
【図３】補助デッキ部の平面図である。
【図４】同背面説明図である。
【図５】走行車の平面図である。
【図６】走行車左側の平面図である。
【図７】走行車右側の平面図である。
【図８】右施肥部背面図である。
【図９】左右施肥部平面図である。
【図１０】右施肥部側面図である。
【図１１】全体の平面配置説明図である。
【図１２】施肥ホース取付説明図である。
【図１３】掃除ホース取付説明図である。
【符号の説明】
【００３４】
１  走行車
１２  車体カバー
１３  運転席
１４  操向ハンドル
１５  植付部
３６  施肥機
３７  補助デッキ
４１  サイドデッキ
【図１】
2005118043.tif 000003
【図２】
2005118043.tif 000004
【図３】
2005118043.tif 000005
【図４】
2005118043.tif 000006
【図５】
2005118043.tif 000007
【図６】
2005118043.tif 000008
【図７】
2005118043.tif 000009
【図８】
2005118043.tif 000010
【図９】
2005118043.tif 000011
【図１０】
2005118043.tif 000012
【図１１】
2005118043.tif 000013
【図１２】
2005118043.tif 000014
【図１３】
2005118043.tif 000015